(57)【要約】【課題】居住者である被介護者の自立支援や介護支援に寄与できるインターホン装置および当該インターホン装置を用いたインターホンシステムを提供する。【解決手段】インターホン装置１０は、来訪者が居住者を呼び出して通話するための玄関子機２０と、玄関子機２０からの呼び出しに居住者が応答するための居室親機３０と、を備えている。居室親機３０は、情報端末４０に備えられたデータ送信部４２から送信されるスケジュール管理データを受信して記憶するデータ受信３６ａと、データ受信記憶部３６ａに記憶されたスケジュール管理データに基づいて居住者に対して案内情報を通知する通知部３２，３４と、を備えている。【選択図】図１
2017017453.tif 000002
【特許請求の範囲】
【請求項１】
来訪者が居住者を呼び出して通話するための玄関子機と、前記玄関子機からの呼び出しに居住者が応答するための居室親機と、を備えたインターホン装置であって、
前記居室親機は、情報端末に備えられたデータ送信部から送信されるスケジュール管理データを受信して記憶するデータ受信記憶部と、前記データ受信記憶部に記憶された前記スケジュール管理データに基づいて前記居住者に対して案内情報を通知する通知部と、を備えている、インターホン装置。
【請求項２】
前記通知部は、前記玄関子機からの呼出や通話に用いられるスピーカ部であり、
前記スピーカ部は、前記案内情報として前記スケジュール管理データに基づき作成された音声案内情報を報知可能である、請求項１に記載のインターホン装置。
【請求項３】
前記通知部は、前記玄関子機が有するカメラで撮影された映像を表示するための表示部であり、
前記表示部は、前記案内情報として前記スケジュール管理データに基づき作成された文字案内情報を表示可能である、請求項１または２に記載のインターホン装置。
【請求項４】
前記居室親機は、前記案内情報を通知すべき時刻を時間情報として登録する情報管理部をさらに備え、
前記情報管理部は、前記時間情報に基づき所定の登録時刻に前記通知部において前記案内情報を通知させる、請求項１から３のいずれか一項に記載のインターホン装置。
【請求項５】
請求項１から４のいずれか一項に記載のインターホン装置と、
前記インターホン装置と通信可能な前記情報端末と、
を備え、
前記情報端末は、前記スケジュール管理データを作成または変更するための操作部を備えている、インターホンシステム。
【発明の詳細な説明】
【技術分野】
【０００１】
本発明は、インターホン装置およびインターホンシステムに関する。
【背景技術】
【０００２】
玄関子機に来訪者を撮像するためのカメラを設けると共に、居室親機にカメラが撮像した映像を表示するモニタを設けて、居住者が呼び出しに応答する際、来訪者をモニタで確認できるインターホン装置が普及している。このようなインターホン装置では、モニタに他の情報を表示させて利便性を高めたものがあり、例えば特許文献１では、体重計や歩数計等からデータを読み取って、表示させている。
【先行技術文献】
【特許文献】
【０００３】
【特許文献１】特開２０１０−２２６４９２号公報
【発明の概要】
【発明が解決しようとする課題】
【０００４】
訪問介護のニーズ拡大等に伴い、居住者（被介護者）や居住者宅を訪問する介護者により居住者の日々の生活を支援するためにインターホン装置を用いることが考えうる。
【０００５】
そこで、本発明は、居住者である被介護者の自立支援や介護支援に寄与できるインターホン装置および当該インターホン装置を用いたインターホンシステムを提供することを目的とする。
【課題を解決するための手段】
【０００６】
本発明にかかるインターホン装置は、
来訪者が居住者を呼び出して通話するための玄関子機と、前記玄関子機からの呼び出しに居住者が応答するための居室親機と、を備えたインターホン装置であって、
前記居室親機は、情報端末に備えられたデータ送信部から送信されるスケジュール管理データを受信して記憶するデータ受信記憶部と、前記データ受信記憶部に記憶された前記スケジュール管理データに基づいて前記居住者に対して案内情報を通知する通知部と、を備えている。
【０００７】
上記構成によれば、インターホン装置により居住者に対してスケジュール管理データに基づく案内情報を通知することができるため、被介護者である居住者の自立支援をサポートすることができる。また、介護者が被介護者宅を訪問した際に、被介護者の準備が整っているため、介護スケジュールを遅滞なく履行することができ介護支援に寄与することができる。
【０００８】
また、本発明のインターホン装置において、
前記通知部は、前記玄関子機からの呼出や通話に用いられるスピーカ部であり、
前記スピーカ部は、前記案内情報として前記スケジュール管理データに基づき作成された音声案内情報を報知可能である構成としてもよい。
【０００９】
上記構成によれば、音声案内情報により居住者が当日の介護スケジュール等を容易に把握することができ、介護を受けるための準備を進めることができる。
【００１０】
また、本発明のインターホン装置において、
前記通知部は、前記玄関子機が有するカメラで撮影された映像を表示するための表示部であり、
前記表示部は、前記案内情報として前記スケジュール管理データに基づき作成された文字案内情報を表示可能である構成としてもよい。
【００１１】
上記構成によれば、表示部に表示された文字案内情報により居住者が介護スケジュール等を容易に確認することができる。
【００１２】
また、本発明のインターホン装置において、
前記居室親機は、前記案内情報を通知すべき時刻を時間情報として登録する情報管理部をさらに備え、
前記情報管理部は、前記時間情報に基づき所定の登録時刻に前記通知部において前記案内情報を通知させる構成としてもよい。
【００１３】
上記構成によれば、介護スケジュールに沿って例えば介護サービスの予告や投薬時間の案内を適切なタイミングで居住者に対して通知することができる。
【００１４】
また、本発明のインターホンシステムは、
上記に記載のインターホン装置と、
前記インターホン装置と通信可能な前記情報端末と、
を備え、
前記情報端末は、前記スケジュール管理データを作成または変更するための操作部を備えている。
【００１５】
上記構成によれば、居住者が例えばタブレット型端末等の情報端末を操作してスケジュール管理データを作成することで、居住者の記憶の衰えをサポートし、認知症の予防や認知症の進行の抑制にもつながる。
【発明の効果】
【００１６】
本発明によれば、被介護者である居住者の自立支援や介護支援に寄与できるインターホン装置および当該インターホン装置を用いたインターホンシステムを提供することができる。
【図面の簡単な説明】
【００１７】
【図１】本発明の実施形態を示すインターホンシステムの概略ブロック図である。
【図２】図１のインターホンシステムの動作パターンを示すフローチャートである。
【図３】（ａ）〜（ｄ）は、図１のインターホンシステムに用いられるインターホン装置を構成する居室親機の概略構成図である。
【図４】本発明の変形例を示すインターホンシステムの概略ブロック図である。
【発明を実施するための形態】
【００１８】
以下、本発明に係るインターホン装置およびインターホンシステムの実施の形態の例を、図面を参照して説明する。
【００１９】
（全体構成）
図１に示すように、本実施形態に係るインターホンシステム１は、玄関子機２０および居室親機３０を備えたインターホン装置１０と、情報端末４０と、通信装置５０から構成されている。インターホン装置１０の玄関子機２０および居室親機３０は、マンション等の集合住宅や一戸建てなどの住戸に設置される。
【００２０】
玄関子機２０は、在宅中の居住者を呼び出す際に、来訪者が所定の呼出操作を行うためのものであり、玄関の外壁面等に設けられている。玄関子機２０は、玄関子機マイク２１、玄関子機スピーカ２２、玄関子機操作部２３、玄関子機カメラ２４（カメラの一例）、玄関子機ＣＰＵ２５、および玄関子機通信インターフェース２６を備えている。
【００２１】
玄関子機マイク２１および玄関子機スピーカ２２は、来訪者が居住者との間で通話をする際に、音声を入出力するためのものである。玄関子機操作部２３は、来訪者が居住者を呼び出すための呼出操作を行う際に来訪者によって操作される部分である。玄関子機カメラ２４は、呼出操作を行う来訪者を撮影するためのものである。
【００２２】
玄関子機マイク２１、玄関子機スピーカ２２、玄関子機操作部２３および玄関子機カメラ２４は、玄関子機ＣＰＵ２５に接続されている。玄関子機ＣＰＵ２５には、玄関子機マイク２１からの音声信号、玄関子機カメラ２４からの映像信号が送信される。また、玄関子機操作部２３が操作されることで玄関子機操作部２３から入力信号が玄関子機ＣＰＵ２５に送信される。また、玄関子機ＣＰＵ２５は、玄関子機スピーカ２２へ音声信号を出力する。玄関子機ＣＰＵ２５には、玄関子機通信インターフェース２６が接続されている。玄関子機ＣＰＵ２５は、玄関子機通信インターフェース２６を介して居室親機３０との間で信号の送受信を行う。
【００２３】
居室親機３０は、玄関子機２０からの呼出に居住者が応答するためのものであり、室内の壁面等に設けられている。居室親機３０は、居室親機マイク３１、居室親機スピーカ３２（通知部、スピーカ部の一例）、居室親機操作部３３、居室親機表示部３４（通知部、表示部の一例）、居室親機ＣＰＵ３６、および居室親機通信インターフェース３７を備えている。
【００２４】
居室親機マイク３１および居室親機スピーカ３２は、居住者が来訪者との間で通話をする際に、音声を入出力するためのものである。居室親機操作部３３は、居住者によって操作される部分である。この居室親機操作部３３は、玄関子機２０からの呼出へ応対するための応対操作を受け付ける。例えば、居住者が居室親機操作部３３を操作することで、玄関子機２０からの呼出に応対すべく、来訪者との間での通話を可能とし、玄関扉を開放する解除操作が行われる。居室親機表示部３４は、玄関子機２０の玄関子機カメラ２４で撮影された来訪者の映像を表示するためのものである。
【００２５】
居室親機マイク３１、居室親機スピーカ３２、居室親機操作部３３、および居室親機表示部３４は、居室親機ＣＰＵ３６に接続されている。居室親機ＣＰＵ３６には、居室親機マイク３１からの音声信号が送信される。また、居室親機操作部３３が操作されることで居室親機操作部３３から入力信号が居室親機ＣＰＵ３６に送信される。また、居室親機ＣＰＵ３６は、居室親機スピーカ３２へ音声信号を出力し、居室親機表示部３４へ映像信号を出力する。居室親機ＣＰＵ３６には、居室親機通信インターフェース３７が接続されている。居室親機ＣＰＵ３６は、居室親機通信インターフェース３７を介して玄関子機２０との間で信号の送受信を行う。また、居室親機ＣＰＵ３６は、情報端末４０のデータ送信部４２から送信されたスケジュール管理データを通信装置５０を介して受信して記憶するデータ受信記憶部３６ａと、スケジュール管理データに基づく案内情報を通知すべき時刻を時間情報として登録する情報管理部３６ｂとを有している。通信装置５０は、例えばＷｉｆｉ（登録商標）ルータなどの中継器である。
【００２６】
情報端末４０は、他の装置との間でのネットワーク通信が可能な情報入出力端末装置である。情報端末４０としては、タブレット型情報端末、携帯型情報端末（スマートフォン）ノート型パーソナルコンピュータ、デスクトップ型パーソナルコンピュータ、エンターテイメント機器、家電機器等を例示することができる。
情報端末４０は、介護サービスの利用者（以下、サービス利用者とする。）である居住者Ｒがスケジュール管理データを作成または変更するための操作部４１と、スケジュール管理データを送信するデータ送信部４２を有している。情報端末４０は、操作部４１の操作により作成されたスケジュール管理データを所定の送信操作によりデータ送信部４２を介して居室親機３０に設けられたデータ受信記憶部３６ａに通信装置５０を介して例えばＷｉｆｉ通信により送信できるよう構成されている。なお、通信装置５０を用いたＷｉｆｉ通信の代わりに、Ｂｌｕｅｔｏｏｔｈ（登録商標）や赤外線通信等の無線通信で情報端末４０と居室親機３０間でのデータ通信を行っても良い。情報端末４０から送信されたスケジュール管理データは、データ受信記憶部３６ａに受信されて記憶され、情報管理部３６ｂにより居室親機スピーカ３２から通知または居室親機表示部３４に表示される案内情報に変換される。
【００２７】
次に、上記構成のインターホンシステム１における動作パターンの一例について、図２を参照して説明する。
【００２８】
最初に、居住者Ｒ（以下、サービス利用者Ｒとする。）は、タブレット型情報端末４０の操作部４１を操作して、自らのスケジュール管理データの作成を行う（図２のステップＳ１）。スケジュール管理データには、例えば、デイサービスの予定、投薬時間、起床・就寝時間等が含まれる。スケジュール管理データは、サービス利用者Ｒ自身が自らまたは介護者のサポートのもと作成することが望ましい。
次に、サービス利用者Ｒは、作成したスケジュール管理データを情報端末４０のデータ送信部４２から通信装置５０を介してＷｉｆｉ通信で居室親機３０のデータ受信記憶部３６ａに送信する（ステップＳ２）。
【００２９】
次に、居室親機ＣＰＵ３６は、スケジュール管理データを受信してデータ受信記憶部３６ａに記憶させるとともに、情報管理部３６ｂにおいてスケジュール管理データに基づき所定の案内情報を作成する（ステップＳ３）。また、居室親機ＣＰＵ３６は、情報管理部３６ｂにおいてスケジュール管理データに基づく案内情報を通知すべき時刻を時間情報として登録する。そして、居室親機ＣＰＵ３６は、作成した案内情報を登録された時間情報に基づき所定の時間に居室親機スピーカ３２から通知させ、または居室親機表示部３４に表示させる（ステップＳ４）。
【００３０】
図３（ａ）〜（ｄ）は、居室親機スピーカ３２から通知される音声案内情報および居室親機表示部３４に表示される文字案内情報の例を示す居室親機３０の概略構成図である。図３（ａ）に示されるように、情報端末４０で作成されたスケジュール管理データが居室親機３０に送信されると、居室親機表示部３４において、本日の介護スケジュールを示す文字案内情報Ｗ１（「今日５／５の予定」等）が表示される。それとともに、居室親機スピーカ３２から本日の介護スケジュールについて音声案内情報Ｓ１（「今日は５月５日です。デイサービスの日です。」）が通知される。また、図３（ｂ）に示されるように、介護スケジュールの予定時間が近づいたら、居室親機表示部３４において、予告情報を示す文字案内情報Ｗ２（「まもなくデイサービスが来ます。」）が表示されるとともに、居室親機スピーカ３２から予告案内である音声案内情報Ｓ２（「まもなくデイサービスがお迎えに来ます。準備をお願いします。」）が通知される。また、居室親機スピーカ３２および居室親機表示部３４により、図３（ｃ）に示されるように、投薬時間等を表示および／または通知したり、図３（ｄ）に示されるように、就寝前に戸締まりや火の元の確認を促す案内情報を表示および／または通知したりすることができる。このようにして、居室親機スピーカ３２から通知される音声案内情報Ｓ１，Ｓ２や居室親機表示部３４に表示された文字案内情報Ｗ１，Ｗ２に基づき、サービス利用者Ｒは当日の予定（介護スケジュールや投薬時間等）を確認することができる。なお、このような案内情報を見たり聞いたりしたサービス利用者Ｒが居室親機３０の居室親機操作部３３を操作する、または居室親機マイク３１を介して返答することで、居室親機ＣＰＵ３６はサービス利用者Ｒが案内情報を把握したことを確認して次の処理に進むように構成することもできる。
以上により、本実施形態のインターホンシステム１の動作パターンが終了する。
【００３１】
以上、説明したように、本実施形態に係るインターホン装置１０によれば、居室親機３０は、情報端末４０に備えられたデータ送信部４２から送信されるスケジュール管理データを受信して記憶するデータ受信記憶部３６ａと、データ受信記憶部３６ａに記憶されたスケジュール管理データに基づいて居住者（サービス利用者Ｒ）に対して案内情報を通知する居室親機スピーカ３２および居室親機表示部３４と、を備えている。この構成によれば、インターホン装置１０によりサービス利用者Ｒに対してスケジュール管理データに基づく案内情報を通知することができるため、サービス利用者Ｒの自立支援をサポートすることができる。また、介護者が被介護者であるサービス利用者Ｒ宅を訪問した際に、サービス利用者Ｒ側の準備が整っているため、介護スケジュールを遅滞なく履行することができ介護支援に寄与することができる。
【００３２】
また、本実施形態のインターホン装置１０において、玄関子機２０からの呼出や通話に用いられる居室親機スピーカ３２は、案内情報としてスケジュール管理データに基づき作成された音声案内情報Ｓ１，Ｓ２を報知可能である。この構成によれば、音声案内情報Ｓ１，Ｓ２によりサービス利用者Ｒが当日の介護スケジュール等を容易に把握することができ、介護を受けるための準備を進めることができる。
【００３３】
また、本実施形態のインターホン装置１０において、玄関子機カメラ２４で撮影された映像を表示するための居室親機表示部３４は、案内情報としてスケジュール管理データに基づき作成された文字案内情報Ｗ１，Ｗ２を表示可能である。この構成によれば、居室親機表示部３４に表示された文字案内情報Ｗ１，Ｗ２によりサービス利用者Ｒが介護スケジュール等を容易に確認することができる。
【００３４】
また、本実施形態のインターホン装置１０において、居室親機３０は、案内情報を通知すべき時刻を時間情報として登録する情報管理部３６ｂをさらに備え、情報管理部３６ｂは、時間情報に基づき所定の登録時刻に居室親機スピーカ３２および／または居室親機表示部３４において音声案内情報Ｗ１，Ｗ２や文字案内情報Ｓ１，Ｓ２を通知させることができる。この構成によれば、介護スケジュールに沿って例えば介護サービスの予告や投薬時間の案内を適切なタイミングでサービス利用者Ｒに対して通知することができる。
【００３５】
また、本実施形態のインターホンシステム１は、上記のインターホン装置１０と、インターホン装置１０と通信可能な情報端末４０と、を備えており、情報端末４０は、スケジュール管理データを作成または変更するための操作部４１を備えている。この構成によれば、サービス利用者Ｒが情報端末４０を操作してスケジュール管理データを作成することで、サービス利用者Ｒの記憶の衰えをサポートし、認知症の予防や認知症の進行の抑制にもつながる。
【００３６】
（変形例）
図４に、上記実施形態の変形例に係るインターホンシステム１ａの概略ブロック図を示す。
変形例に係るインターホンシステム１ａにおいては、インターホン装置１０ａの居室親機３０ａが、無線受信部３８を備えている点で上記実施形態と異なる。無線受信部３８は、居室親機ＣＰＵ３６のデータ受信記憶部３６ａに接続されている。例えば、Ｂｌｕｅｔｏｏｔｈや赤外線通信等の無線通信で情報端末４０と居室親機３０ａ間でのデータ通信を行う環境にある場合は、情報端末４０のデータ送信部４２から無線通信により送信されたスケジュール管理データを無線受信部３８により受信する。無線受信部３８にて受信されたスケジュール管理データは居室親機ＣＰＵ３６のデータ受信記憶部３６ａに記憶され、情報管理部３６ｂにおいて所定の案内情報が作成され、当該案内情報が居室親機スピーカ３２から通知、または居室親機表示部３４に表示される。このような無線通信環境下でも、情報端末４０から送信されるスケジュール管理データを利用して居室親機３０から居住者等に報知することができ、上記実施形態と同様の効果を得ることができる。
【００３７】
以上、本発明を詳細にまた特定の実施態様を参照して説明したが、本発明の精神と範囲を逸脱することなく様々な変更や修正を加えることができることは当業者にとって明らかである。
【符号の説明】
【００３８】
１，１ａ：インターホンシステム、１０，１０ａ：インターホン装置、２０：玄関子機、２４：玄関子機カメラ（カメラの一例）、２５：玄関子機ＣＰＵ、２６：玄関子機通信インターフェース、３０，３０ａ：居室親機、３１：居室親機マイク、３２：居室親機スピーカ（通知部、スピーカ部の一例）、３３：居室親機操作部、３４：居室親機表示部（通知部、表示部の一例）、３６：居室親機ＣＰＵ、３６ａ：データ受信記憶部、３６ｂ：情報管理部、３７：居室親機通信インターフェース、３８：無線受信部、４０：情報端末、４１：操作部、４２：データ送信部、５０：通信装置、Ｒ：サービス利用者（居住者）
【図１】
2017017453.tif 000003
【図２】
2017017453.tif 000004
【図３】
2017017453.tif 000005
【図４】
2017017453.tif 000006